(57)【要約】【課題】異なる複数の方向及び位置の磁気ストライプに対する磁気処理を可能としつつ、処理工程及び装置構成を単純化するとともに、適切な処理を可能とする。【解決手段】通帳処理装置１は、磁気ストライプ１０ｆを有する通帳１０を第１方向に搬送する搬送手段１２と、画像情報を検出する光学スキャナ１３と、画像情報から、通帳１０の文字情報を認識するＯＣＲ装置１４と、その走査方向が変更可能であるとともに、第１方向に交差する第２方向において移動可能に構成された磁気ヘッド１５ａと、文字情報に基づき通帳１０の種類を特定する手段と、予め複数の通帳１０の特徴に関する特徴情報が格納された媒体情報テーブル２６ａの情報に基づいて、磁気ストライプ１０ｆに関する特徴情報を特定する手段と、特定された特徴情報に基づいて、磁気ヘッド１５ａの位置及び走査方向を制御する手段と、備えたことを特徴とする。【選択図】図５
2008310593.tif 000002
【特許請求の範囲】
【請求項１】
磁気ストライプを有する処理対象媒体に対して各種処理を行う媒体処理装置であって、
前記処理対象媒体を所定の経路に沿って第１方向に搬送する搬送手段と、
前記処理対象媒体の画像情報を検出する画像検出手段と、
検出された前記画像情報から、前記処理対象媒体に印字された文字情報を認識する文字認識装置と、
その走査方向が変更可能であるとともに、第１方向に交差する第２方向において移動可能に構成され、前記磁気ストライプに対して磁気処理を行う磁気ヘッドを有する磁気処理部と、
前記文字認識部において認識された文字情報に基づき前記処理対象媒体の種類を特定する手段と、
予め複数の処理対象媒体の種類と当該各種処理対象媒体の磁気ストライプの特徴に関する特徴情報とが格納された媒体情報テーブルの情報に基づいて、前記処理対象媒体の前記磁気ストライプに関する前記特徴情報を特定する手段と、
特定された前記処理対象媒体の前記特徴情報に基づいて、前記磁気ヘッドの位置及び走査方向を制御する手段と、備えたことを特徴とする媒体処理装置。
【請求項２】
前記処理対象媒体は通帳であって、
前記文字情報は、前記通帳が取り扱われる金融機関の情報及び前記通帳の利用者情報のうち少なくとも一方を含むことを特徴とする請求項１記載の媒体処理装置。
【請求項３】
前記特徴情報は、前記磁気ストライプの形状、記録密度、記録方式、読み取り方式、走査方向、及び位置のうち少なくとも１つを含むことを特徴とする請求項１記載の媒体処理装置。
【請求項４】
前記特徴情報は、前記磁気ストライプの走査方向を含み、前記特徴情報として特定された前記磁気ストライプの走査方向が前記搬送の方向に沿う第１方向である場合には、前記磁気ヘッドの走査方向が第１方向に沿った状態で、前記搬送手段により前記処理対象媒体が前記第１方向へ搬送されるとともに、前記処理対象媒体の前記磁気ストライプが前記磁気ヘッドを通過する際に前記磁気処理が行われ、
前記磁気ストライプの走査方向が前記搬送の方向と交差する第２方向である場合には、前記搬送手段が停止され、前記磁気ヘッドの走査方向が第２方向に沿った状態で、前記磁気ヘッドが前記第２方向において移動するとともに、前記処理対象媒体の前記磁気ストライプが前記磁気ヘッドを通過する際に前記磁気処理が行われることを特徴とする請求項１記載の媒体処理装置。
【請求項５】
前記処理対象媒体は、その閉状態において、前記一方側に位置するとともに前記文字情報が設けられた表紙と、前記他方側に位置するとともに磁気ストライプが設けられた背表紙と、前記表紙と前記背表紙の間に位置するとともに印字処理に用いられる印字情報が設けられた記号頁とを備えた冊子状に構成され、
前記処理対象媒体のページめくりを行うページめくり機構と、
前記処理対象媒体に対して印字処理を行う印字部と、を有し、
前記画像検出手段と、前記磁気ヘッドとは、前記第１方向及び前記第２方向と交差する第３方向において、前記処理対象媒体を挟んでそれぞれ一方側と他方側に配置され、
前記画像検出手段は、前記閉状態において前記表紙の画像情報を検出するとともに前記処理媒体が開いた開状態において前記記号頁の画像情報を検出し、
前記文字情報認識装置は、前記記号頁の画像情報に基づいて前記印字情報を認識し、
前記印字部は、前記印字情報に基づいて前記記号頁に印字処理を行うことを特徴とする請求項１に記載の媒体処理装置。
【請求項６】
前記処理対象媒体に対して印字処理を行う印字部が、前記搬送の方向と交差する第３方向において前記処理媒体の一方側に配置され、前記画像検出手段及び前記磁気ヘッドが前記第３方向における前記処理媒体の他方側に配置されたことを特徴とする請求項１記載の媒体処理装置。
【請求項７】
前記画像情報から明度を算出する手段をさらに備え、
前記処理対象媒体の前記特徴情報は、前記媒体情報テーブルの情報に加えて前記明度に基づいて特定されることを特徴とする請求項１記載の媒体処理装置。
【請求項８】
磁気ストライプを有する処理対象媒体に対して各種処理を行う媒体処理方法であって、
前記処理対象媒体を所定の経路に沿って第１方向に搬送する工程と、
前記処理対象媒体の画像情報を検出する工程と、
検出された前記画像情報から、前記処理対象媒体に印字された文字情報を認識する工程と、
認識された前記文字情報に基づき前記処理対象媒体の種類を特定する工程と、
複数の処理対象媒体の種類とその各種処理対象媒体の磁気ストライプの特徴に関する特徴情報とが格納された媒体情報テーブルの情報に基づいて、前記処理対象媒体の前記磁気ストライプに関する前記特徴情報を特定する工程と、
特定された前記処理対象媒体の前記特徴情報に基づいて、前記磁気ストライプに対して磁気処理を行う磁気ヘッドの位置及び走査方向を制御する工程と、を備えたことを徴とする媒体処理方法。
【請求項９】
前記処理対象媒体は通帳であって、
前記文字情報は、前記通帳が取り扱われる金融機関の情報及び前記通帳の顧客情報のうち少なくとも１つを含むことを特徴とする請求項８記載の媒体処理方法。
【請求項１０】
前記特徴情報は、前記磁気ストライプの、形状、記録密度、記録方式、読み取り方式、走査方向、及び位置のうち少なくとも１方を含むことを特徴とする請求項８記載の媒体処理方法。
【請求項１１】
前記特徴情報は、前記磁気ストライプの走査方向を含み、前記特徴情報として検索された前記磁気ストライプの走査方向が前記第１方向である場合には、前記磁気ヘッドの走査方向が第１方向に沿った状態で、前記処理対象媒体が前記第１方向へ搬送されるとともに、前記処理対象媒体の前記磁気ストライプが前記磁気ヘッドを通過する際に前記磁気処理が行われ、
前記磁気ストライプの走査方向が前記第１方向に交差する第２方向である場合には、前記搬送手段が停止し、前記磁気ヘッドの走査方向が第２方向に沿った状態で、前記磁気ヘッドが前記第２方向において移動するとともに、前記処理対象媒体の前記磁気ストライプが前記磁気ヘッドを通過する際に前記磁気処理が行われることを特徴とする請求項８記載の媒体処理方法。
【請求項１２】
前記媒体情報テーブルに、処理対象媒体の特徴情報がない場合に前記画像情報から明度を算出する工程をさらに備え、
前記処理対象媒体の前記特徴情報は、前記媒体情報テーブルの情報に加えて前記明度に基づいて特定されることを特徴とする請求項８記載の媒体処理方法。
【発明の詳細な説明】
【技術分野】
【０００１】
本発明は、通帳のような冊子状の媒体に設けられた磁気ストライプに対して各種処理を行う媒体処理装置及び媒体処理方法に関し、特に複数種類の媒体に対応できるものに関する。
【背景技術】
【０００２】
銀行等の金融機関のＡＴＭ（自動預金支払機）、通帳記帳機等に設置された媒体処理装置において、通帳等の処理対象媒体に設けられた磁気情報を格納する磁気ストライプに対して読取処理や書込処理を行う媒体処理装置が知られている。媒体処理装置は、装置内に通帳を挿入し、あるいは処理後に通帳が排出される吸入排出口と、この吸入排出口に連通した所定の搬送経路に沿って処理対象媒体を搬送するための搬送路を備え、この搬送路に沿って、磁気処理部、印字部、改頁部等が設けられている。磁気処理部は磁気ヘッドを備え、この磁気ヘッドで磁気ストライプに格納された情報を読み取り、あるいは、書き込む磁気処理が行われる。通常、このような媒体処理装置では、予定された取り扱い媒体の形状や磁気ストライプの位置に応じて磁気ヘッドの位置が設定され、搬送処理によって媒体が磁気ヘッドを通過する際に磁気処理が行われる。通帳の形態は例えば金融機関毎に異なり、その磁気ストライプの形状、形成位置、走査方向、読み取り方式、記録方式、仕様なども異なるため、上記の媒体処理装置では、異なる複数種類の通帳には対応することができない。そこで、近年、複数種類の通帳の形態を取り扱い可能とするため、例えば、位置の相違により磁気ストライプの情報が磁気ヘッドで読み取れない場合に、ＯＣＲにより通帳の表紙に印刷されている顧客情報を確認し、磁気ストライプの情報を更新することなく、取引明細のみを印字するものがある（例えば、特許文献１参照）。しかしながら、上記技術では磁気ストライプの処理ができない。また、複数の磁気ストライプを処理可能とするものとして、センサを設けて磁気ストライプの位置を検出し、検出結果に応じて磁気ヘッドを往復移動させて磁気処理するものが提供されている（例えば、特許文献２参照）。また、縦方向及び横方向の２方向の磁気ストライプを処理するものとして、センサの感知情報に基づく位置に応じて磁気ヘッドを回転及び往復させて磁気ストライプの方向が異なる場合に対応させるものがある（例えば、特許文献３参照）。
【特許文献１】特開２００１−１０１４８２号公報
【特許文献２】特開平５−８９６１８号公報
【特許文献３】特開平５−１６５９９０号公報
【発明の開示】
【発明が解決しようとする課題】
【０００３】
しかしながら上述の技術には次のような問題があった。すなわち、上記の往復運動可能な処理装置では、磁気処理の方向は可変でないため通帳の種類によって磁気ストライプの走査方向に異なるものがあると、対応することができない。また、センサの感知情報に基づく位置に応じて磁気ヘッドを回転及び往復する技術においては、磁気ストライプの方向及び位置を検出するためにセンサ自体を通帳搬送領域全体に移動させて検出する必要がある。したがって、処理工程及び装置構成が複雑となる。
【０００４】
そこで、本発明は、異なる複数の方向及び位置の磁気ストライプに対する磁気処理を可能としつつ、処理工程及び装置構成を単純化するとともに、適切に処理できる媒体処理装置及び媒体処理方法を提供することを目的とする。
【課題を解決するための手段】
【０００５】
本発明の一例に係る媒体処理装置は、磁気ストライプを有する処理対象媒体に対して各種処理を行う媒体処理装置であって、前記処理対象媒体を所定の経路に沿って第１方向に搬送する搬送手段と、前記処理対象媒体の画像情報を検出する画像検出手段と、検出された前記画像情報から、前記処理対象媒体に印字された文字情報を認識する文字認識装置と、その走査方向が変更可能であるとともに、第１方向に交差する第２方向において移動可能に構成され、前記磁気ストライプに対して磁気処理を行う磁気ヘッドを有する磁気処理部と、前記文字認識部において認識された文字情報に基づき前記処理対象媒体の種類を特定する手段と、予め複数の処理対象媒体の種類と当該各種処理対象媒体の磁気ストライプの特徴に関する特徴情報とが格納された媒体情報テーブルの情報に基づいて、前記処理対象媒体の前記磁気ストライプに関する前記特徴情報を特定する手段と、特定された前記処理対象媒体の前記特徴情報に基づいて、前記磁気ヘッドの位置及び走査方向を制御する手段と、備えたことを特徴とする。
【０００６】
本発明の一例に係る媒体処理装置は、前記処理対象媒体は通帳であって、前記文字情報は、前記通帳が取り扱われる金融機関の情報及び前記通帳の利用者情報のうち少なくとも一方を含むことを特徴とする。
【０００７】
本発明の一例に係る媒体処理装置の前記特徴情報は、前記磁気ストライプの形状、記録密度、記録方式、読み取り方式、走査方向、及び位置のうち少なくとも１つを含むことを特徴とする。
【０００８】
本発明の一例に係る媒体処理装置は、前記特徴情報は、前記磁気ストライプの走査方向を含み、前記特徴情報として特定された前記磁気ストライプの走査方向が前記搬送の方向に沿う第１方向である場合には、前記磁気ヘッドの走査方向が第１方向に沿った状態で、前記搬送手段により前記処理対象媒体が前記第１方向へ搬送されるとともに、前記処理対象媒体の前記磁気ストライプが前記磁気ヘッドを通過する際に前記磁気処理が行われ、前記磁気ストライプの走査方向が前記搬送の方向と交差する第２方向である場合には、前記搬送手段が停止され、前記磁気ヘッドの走査方向が第２方向に沿った状態で、前記磁気ヘッドが前記第２方向において移動するとともに、前記処理対象媒体の前記磁気ストライプが前記磁気ヘッドを通過する際に前記磁気処理が行われることを特徴とする。
【０００９】
本発明の一例に係る媒体処理装置は、前記処理対象媒体は、その閉状態において、前記一方側に位置するとともに前記文字情報が設けられた表紙と、前記他方側に位置するとともに磁気ストライプが設けられた背表紙と、前記表紙と前記背表紙の間に位置するとともに印字処理に用いられる印字情報が設けられた記号頁とを備えた冊子状に構成され、前記処理対象媒体のページめくりを行うページめくり機構と、前記処理対象媒体に対して印字処理を行う印字部と、を有し、前記画像検出手段と、前記磁気ヘッドとは、前記第１方向及び前記第２方向と交差する第３方向において、前記処理対象媒体を挟んでそれぞれ一方側と他方側に配置され、前記画像検出手段は、前記閉状態において前記表紙の画像情報を検出するとともに前記処理媒体が開いた開状態において前記記号頁の画像情報を検出し、前記文字情報認識装置は、前記記号頁の画像情報に基づいて前記印字情報を認識し、前記印字部は、前記印字情報に基づいて前記記号頁に印字処理を行うことを特徴とする。
【００１０】
本発明の一例に係る媒体処理装置は、前記処理対象媒体に対して印字処理を行う印字部が、前記搬送の方向と交差する第３方向において前記処理媒体の一方側に配置され、前記画像検出手段及び前記磁気ヘッドが前記第３方向における前記処理媒体の他方側に配置されたことを特徴とする。
【００１１】
本発明の一例に係る媒体処理装置は、前記画像情報から明度を算出する手段をさらに備え、前記処理対象媒体の前記特徴情報は、前記媒体情報テーブルの情報に加えて前記明度に基づいて特定されることを特徴とする。
【００１２】
本発明の一例に係る媒体処理方法は、磁気ストライプを有する処理対象媒体に対して各種処理を行う媒体処理方法であって、前記処理対象媒体を所定の経路に沿って第１方向に搬送する工程と、前記処理対象媒体の画像情報を検出する工程と、検出された前記画像情報から、前記処理対象媒体に印字された文字情報を認識する工程と、認識された前記文字情報に基づき前記処理対象媒体の種類を特定する工程と、複数の処理対象媒体の種類とその各種処理対象媒体の磁気ストライプの特徴に関する特徴情報とが格納された媒体情報テーブルの情報に基づいて、前記処理対象媒体の前記磁気ストライプに関する前記特徴情報を特定する工程と、特定された前記処理対象媒体の前記特徴情報に基づいて、前記磁気ストライプに対して磁気処理を行う磁気ヘッドの位置及び走査方向を制御する工程と、を備えたことを徴とする。
【００１３】
本発明の一例に係る媒体処理方法は、前記処理対象媒体は通帳であって、前記文字情報は、前記通帳が取り扱われる金融機関の情報及び前記通帳の顧客情報のうち少なくとも１つを含むことを特徴とする。
【００１４】
本発明の一例に係る媒体処理方法は、前記特徴情報は、前記磁気ストライプの、形状、密度、記録方式、読み取り方式、走査方向、及び位置のうち少なくとも１方を含むことを特徴とする。
【００１５】
本発明の一例に係る媒体処理方法は、前記特徴情報は、前記磁気ストライプの走査方向を含み、前記特徴情報として検索された前記磁気ストライプの走査方向が前記第１方向である場合には、前記磁気ヘッドの走査方向が第１方向に沿った状態で、前記処理対象媒体が前記第１方向へ搬送されるとともに、前記処理対象媒体の前記磁気ストライプが前記磁気ヘッドを通過する際に前記磁気処理が行われ、前記磁気ストライプの走査方向が前記第１方向に交差する第２方向である場合には、前記搬送手段が停止し、前記磁気ヘッドの走査方向が第２方向に沿った状態で、前記磁気ヘッドが前記第２方向において移動するとともに、前記処理対象媒体の前記磁気ストライプが前記磁気ヘッドを通過する際に前記磁気処理が行われることを特徴とする。
【００１６】
本発明の一例に係る媒体処理方法は、前記媒体情報テーブルに、処理対象媒体の特徴情報がない場合に前記画像情報から明度を算出する工程をさらに備え、前記処理対象媒体の前記特徴情報は、前記媒体情報テーブルの情報に加えて前記明度に基づいて特定されることを特徴とする。
【発明の効果】
【００１７】
かかる手段を講じた本発明によれば、異なる複数の方向及び位置の磁気ストライプに対して磁気処理を可能としつつ、処理及び装置構成を単純化するとともに適切な処理をすることができる。
【発明を実施するための最良の形態】
【００１８】
［第１実施形態］  
以下に本発明の第１実施形態にかかる媒体処理装置としての通帳処理装置１について、図１乃至図４を参照して説明する。なお、各図において適宜構成を拡大、縮小、省略して概略的に示している。各図中の矢印Ｘ、Ｙ、Ｚは互いに直交する三方向を示している。
【００１９】
通帳処理装置１は、例えばＡＴＭ（自動預金支払機）、通帳記帳機等に搭載され、処理対象媒体としての通帳１０等の複数の媒体に対して印字などの各種処理を行うものである。通帳処理装置１は、通帳１０を吸入および排出する吸入排出口１１と、通帳１０を、吸入排出口１１と連なる所定の経路に沿って搬送する搬送手段１２と、通帳１０の画像情報を検出する画像検出手段としての光学スキャナ１３と、通帳１０に印字された文字を認識する文字認識装置としてのＯＣＲ装置１４と、通帳１０に設けられた磁気ストライプ１０ｆに対して磁気情報の読取処理や書込処理を行う磁気処理部１５と、通帳１０への印字処理を行う印字部１６と、冊子状の通帳１０のページめくりを行うページめくり機構１７と、表示部１８と、通信部１９と、これら各処理部を制御する制御部としてのＣＰＵ（中央処理装置）２０とを備えて構成されている。
【００２０】
この通帳処理装置１で扱われる媒体である通帳１０について、図２を参照して説明する。図２は、複数種類の、例えばここではＡ社からＩ社まで９種類の、通帳１０が開状態で表紙１０ａ及び背表紙１０ｂが上方に配置された状態の平面図である。通帳１０は、それぞれ表紙１０ａ、背表紙１０ｂ及びこれら表紙１０ａと背表紙１０ｂとの間の内部の記号頁１０ｃを備え、複数頁を有する冊子状に構成されている。表紙１０ａ及び背表紙１０ｂは閉状態ではその外面に位置する。その表紙１０ａには、取り扱い金融機関名や利用者情報などの文字情報が記載されている。また、通帳１０の背表紙１０ａには、所定の位置、方向、形状、トラック数、密度、記録方式、読み取り方式、仕様等を有する磁気ストライプ１０ｆが貼り付けられている。この磁気ストライプ１０ｆには、利用者の口座番号や記録ページ番号に関する磁気情報が記録されている。例えばＡ社〜Ｄ社の磁気ストライプ１０ｆは、１トラックであり、かつ、記録ビットの方向が搬送方向Ａに沿う縦タイプである。Ｅ社〜Ｇ社の通帳１０の磁気ストライプは、１トラックであり、かつ、記録ビットの方向が搬送方向Ａに直交するＹ方向である横タイプである。また、通帳１０の内部の記号頁１０ｃの所定位置にはページ数を識別するためのページマーク（不図示）などの印字情報が印刷されている。
【００２１】
図１に示す搬送手段１２は、吸入排出口１１から続く所定の搬送経路を構成する搬送路２１と、後述する搬送制御部３２の制御に応じて図中Ｘ方向の軸を中心として回転駆動されることにより、矢印Ｘに沿う第１方向としての搬送方向Ａに通帳１０を送る対のローラ２２、２２を複数備えて構成されている。
【００２２】
光学スキャナ１３は、搬送路２１の上方に配置され、通帳１０の上方の画像情報を読取る機能を有する。光学スキャナ１３は、図中矢印Ｘに沿う通帳１０の搬送方向（第１方向）と直交し、図中矢印Ｙに沿う第２方向を長手方向とし、通帳１０の幅より長く構成され、搬送により通帳１０が通過する際に通帳１０の全体の画像情報を読み取る。
【００２３】
ＯＣＲ装置１４は、光学スキャナ１３で得た画像情報から、記号情報を文字変換し、通帳１０に印刷、印字された取扱金融機関や顧客情報等の文字データを認識する機能を有する。
【００２４】
磁気処理部１５は、磁気ストライプ１０ｆの磁気データを読み取り、また、磁気ストライプ１０ｆに最終印字行データ等の磁気データを書込む等の所定の磁気処理をする磁気ヘッド１５ａを備えている。磁気ヘッド１５ａは、Ｙ方向において移動可能に構成され、また、矢印Ｘ及びＹに直交し、矢印Ｚに沿う第３方向としての上下方向の軸を中心として、回転可能に構成されている。この移動及び回転は磁気制御部３５の動作制御手段４３に制御される。すなわち、磁気ストライプ１０ｆの走査方向に応じて、磁気ヘッド１５ａの走査方向を変換することが可能となっている。
【００２５】
印字部１６は、通帳１０の記号頁１０ｃの各印字行に取引日、取引金額、口座残額等の取引情報の印字を行う機能を有する。
【００２６】
ページめくり機構１７は、複数枚の頁を有する冊子状の通帳１０の頁を捲る機能を有する。  
表示部１８は、通帳処理装置１の状態やオペレータへの各種メッセージなどを表示する機能を有する。  
通信部１９は、上位ホスト装置（不図示）との間で通信を行う機能を有する。
【００２７】
ＣＰＵ２０の構成について図３を参照して説明する。ＣＰＵ２０は、バスライン３１を介して各部の間でデータのやり取りを制御するとともに、各部を総括的に制御する機能を有する。ＣＰＵ２０には、ＲＯＭ（リード・オンリー・メモリ）２６、ＲＡＭ（ランダム・アクセス・メモリ）２７、搬送手段１２を制御する搬送制御部３２、光学スキャナ１３を制御するスキャナ制御回路３３、ＯＣＲ装置１４を制御するＯＣＲ制御回路３４、磁気処理部１５を制御する磁気制御部３５、印字部１６を制御する印字制御回路３７、ページめくり機構１７を制御するめくり制御回路３６、表示部１８を制御する表示制御回路３８、通信部１９を制御する通信制御回路３９等が接続されている。
【００２８】
ＲＯＭ２６は、ＣＰＵ２０の動作に必要なプログラムが格納されるとともに、ＣＰＵ２０の作業領域等として使用されるメモリであり、媒体情報テーブル２６ａを有している。また、媒体情報テーブル２６ａには、例えば図２に示すような複数の通帳の種類とその特徴に関する通帳情報が格納されている。通帳情報としては、例えば取り扱い金融機関名などで決まる通帳の種類と、各種通帳の特徴情報としての通帳の形状、サイズ、磁気ストライプの形状、密度、記録方式、読み取り方式、走査方向、及び位置等の情報が格納されている。
【００２９】
ＲＡＭ２７には、例えば光学スキャナ１３によって読み取られた通帳１０の画像情報や、この画像情報に基づいてＯＣＲ装置１４で得られた文字情報が一時的に格納される。
【００３０】
磁気制御部３５は、光学スキャナ１３及びＯＣＲ装置１４により検出した通帳１０の金融機関名などの文字情報に基づいて通帳１０の種類を判別、特定する判別手段４１と、特定された通帳の種類と、媒体情報テーブル２６ａに記憶された通帳情報とを比較して、例えば磁気ヘッド１５ａの位置、方向及び記録方式等、通帳１０の磁気処理に必要な各種特徴情報を検索する比較検索手段４２と、この特徴情報に基づいて磁気ヘッド１５ａの動作を制御する動作制御手段４３と、を有して構成されている。
【００３１】
次に、本実施形態にかかる通帳処理装置１のＣＰＵ２０における制御工程について図５のフロー図を参照して説明する。  
まずステップ１１（ＳＴ１１）において、ユーザによって通帳１０が閉じた状態で吸入排出口１１にセットされると、搬送制御部３２により搬送手段１２のローラ２２が回転駆動され、通帳１０が、搬送路２１へ吸入されるとともに所定の搬送経路に沿って搬送される。このとき、通帳１０は閉じた状態のまま、表紙１０ａが上方に位置し、背表紙１０ｂが下方に位置した状態で搬送される。
【００３２】
通帳１０が所定位置に到達すると、光学スキャナ１３により、通帳１０の表紙１０ａ（における書式枠１０ｄ部分）がスキャン処理され、その画像情報が検出されるとともに、ＲＡＭに記憶される（ＳＴ１２）。
【００３３】
検出された画像情報に基づき、ＯＣＲ装置１４において、通帳１０の表紙１０ａ（の書式枠１０ｄ）に記入されている金融機関名や口座番号等の利用者情報が文字情報として認識される（ＳＴ１３）。
【００３４】
ついでＳＴ１４において、ページめくり部１７が駆動されてページめくり動作が行われ、所定の記号頁１０ｃが上面に位置するように開状態となる。
【００３５】
ついで、搬送手段１２を搬送方向Ａと反対方向に駆動し、開状態の通帳１０を逆送させ、記号頁１０ｃ光学スキャナ１３のスキャン位置に配置し、停止させる（ＳＴ１４）。
【００３６】
ＳＴ１５において、光学スキャナ１３により通帳１０の内部の記号頁１０ｃの画像情報が検出され、一時的にＲＡＭ２７に格納される。
【００３７】
ＳＴ１６において、ＯＣＲ装置１４により、記号頁１０ｃに印刷・印字された印字情報などの文字情報の文字認識処理が行われるとともに、認識された内容がＲＡＭ２７に記憶される。
【００３８】
ＳＴ１７において、磁気制御部３５の判別手段４１により、上記ＳＴ１３及びＳＴ１６で認識した文字情報に基づき、通帳１０の種類が判別・特定される。
【００３９】
ＳＴ１８において、比較検索手段４２により、媒体情報テーブル２６ａに格納された通帳種類情報と比較して、ＳＴ１６で特定された種類の通帳に対応する各種特徴情報、すなわち、例えば磁気ヘッド１５ａの位置、方向及び記録方式等、通帳処理に必要な情報が検索され、特定される。
【００４０】
特定された特徴情報に基づき、動作制御手段４３により、磁気ヘッド１５ａの動作が制御される。ここで、図６に示すように、ＳＴ１８で取得した特徴情報のうち磁気ストライプ１０ｆの走査方向Ｂが第２方向に沿う場合には（ＳＴ１９）、搬送手段１２を搬送させるとともに、磁気処理部１５を移動させ、磁気ヘッド１５ａが磁気ストライプ１０ｆの処理始端部１０ｇに対向するとともに磁気ヘッド１５ａの走査方向Ｃが磁気ストライプの走査方向Ｂに沿うように磁気処理部１５を制御する（ＳＴ２０）。
【００４１】
図６に実線で示すように、磁気ヘッド１５ａが磁気ストライプ１０ｆの処理始端部１０ｇの対向位置に配置されたら、搬送手段１２を停止させる。この状態で、磁気処理部１５を制御し、処理終端部１０ｈに向かって第２方向に移動させるとともに、磁気ヘッド１５ａが磁気ストライプ１０ｆを通過する移動タイミングに合わせて磁気ストライプ１０ｆに対して磁気情報の読取及び書込処理を行わせる（ＳＴ２１）。
【００４２】
磁気処理の終了後、再度搬送手段１２を駆動して通帳１０を搬送するとともに、印字部１６により通帳１０へ印字処理が行われる（ＳＴ２２）。
【００４３】
印字処理の終了後、搬送手段１２を駆動し、上記搬送方向Ａと反対方向に搬送することで、通帳１０を吸入排出口１１へ送り、吸入排出口１１から排出させる（ＳＴ２３）。以上により、磁気ストライプ１０ｆが横方向であった場合の処理が完了する。
【００４４】
一方、図７に示すように、磁気ストライプ１０ｆの走査方向が第１方向に沿う場合には、磁気ヘッド１５ａの走査方向Ｃが磁気ストライプの走査方向Ｂに沿うように、磁気ヘッド１５ａを９０度回転させて記録ビットの方向を変更する（ＳＴ２４）。また、搬送手段１２を駆動して第１方向にそって搬送するとともに磁気ヘッド１５ａを第２方向に沿って移動させ、磁気ストライプ１０ｆの処理始端部１０ｇに磁気ヘッド１５ａが対向するように配置する（ＳＴ２５）。
【００４５】
磁気ストライプ１０ｆの処理始端部１０ｇに磁気ヘッド１５ａが配置された状態で磁気ヘッド１５ａの移動を停止し、搬送手段１２を搬送させるとともに、磁気ストライプ１０ｆが磁気ヘッド１５ａを通過するタイミングに合わせて磁気情報処理を行う（ＳＴ２６）。磁気処理が終了したら上記縦方向の場合と同様にＳＴ２２及びＳＴ２３が行われ、処理が終了する。
【００４６】
本実施形態にかかる通帳処理装置１及び通帳処理方法によれば次の効果が得られる。すなわち、異なる複数の方向及び位置の磁気ストライプ１０ｆに対して磁気処理を可能としつつ、処理工程及び通帳処理装置１の構成を単純化するとともに適切な処理をすることができる。すなわち、磁気ヘッド１５ａを回転可能、かつ、第２方向に移動可能としたことにより、磁気ストライプ１０ｆの走査方向が異なる複数種類の通帳処理を１つの磁気処理部１５で処理することが可能である。また、磁気ストライプ１０ｆの形状や位置だけでなく記録方式やその他の各種情報を用いることができるため、より適切な処理を実現することが可能となる。また、従前から、印字頁の情報を読み取る処理のためにＯＣＲ装置や光学スキャナを備えている装置においては、新たな設備を搭載することなく実現することが可能である。したがって、磁気ストライプ１０ｆの位置を検知するために磁気センサなどを用いる場合よりも装置構造や処理工程が単純となる。
【００４７】
本発明は上記各実施形態に限られるものではなく、各構成は適宜変形実施可能である。
【００４８】
例えば上記実施形態のＳＴ４等の一部工程を省略してもよい。また、上記実施形態では、１つの光学スキャナ１３で２度の画像情報検出を行う場合について説明したが、複数の光学スキャナ１３を設けてもよい。また、図８に示す通帳処理装置２のように、光学スキャナ１３を搬送路２１の上下にそれぞれ設け、通帳を開いた状態で挿入・搬送することにより、背表紙１０ｂの画像取得と、内部の記号頁１０ｃの画像取得とをそれぞれ上下の光学スキャナ１３で処理することも可能である。また、磁気ヘッド１５ａが搬送方向と直交する方向にのみ移動可能としたが、加えて搬送方向に移動可能に構成してもよい。
【００４９】
また、上記文字情報に基づく磁気処理に加え、光学スキャナ１３で取得した画像の明度を、例えばＰＣＳ値として算出してこのＰＣＳ値に基づいて磁気ストライプ１０ｆの位置を検出する機能を設けてもよい。この実施形態においては、図９のフロー図に示すように、背表紙１０ｂの画像情報を取得するとともに、ＳＴ１７における判別の際に、読み取った文字情報に該当する通帳の種類が媒体情報格納テーブル２６ａに存在しなかった場合に、ＲＡＭ27に一次記憶された背表紙１０ｂの画像のＰＣＳ値が算出され（ＳＴ28）、例えばＰＣＳ値の一定閾値より高い値検出部分（面積）が磁気ストライプ部分であるとして、磁気ストライプ１０ｆの位置及び形状等の特徴情報を特定する。この特定された特徴情報に応じて磁気処理部１５の制御が行われる。この実施形態によれば、予め媒体情報格納テーブル２６ａに設定されている種類以外の通帳にも対応することができる。
【００５０】
この他、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を組合わせてもよい。
【図面の簡単な説明】
【００５１】
【図１】本発明の第１実施形態にかかる通帳処理装置の構成を示すブロック図。
【図２】同通帳処理装置の搬送路の一部を示す平面図。
【図３】同通帳処理装置に用いられる通帳の種類を示す説明図。
【図４】同通帳処理装置のＣＰＵの構成を示すブロック図。
【図５】同通帳処理装置における制御手順を示すフロー図。
【図６】同通帳処理装置における縦型通帳の処理手順を示す平面図。
【図７】同通帳処理装置における横型通帳の処理手順を示す平面図。
【図８】本発明の他の実施形態にかかる同通帳処理装置の構成を示すブロック図。
【図９】本発明の他の実施形態にかかる同通帳処理装置における制御手順を示すフロー図。
【符号の説明】
【００５２】
Ａ…搬送方向、１…通帳処理装置（媒体処理装置）、１０…通帳（処理対象媒体）、１０ｆ…磁気ストライプ、１０ｄ…書式枠、１１…吸入排出口、１２…搬送手段、１３…光学スキャナ（画像検出手段）、１４…ＯＣＲ装置（文字認識装置）、１５…磁気処理部、１５ａ…磁気ヘッド、１６…印字部、１７…ページめくり機構、１８…表示部、１９…通信部、２０…ＣＰＵ、２１…搬送路、２２…ローラ、２６…ＲＯＭ、２６ａ…媒体情報テーブル、２７…ＲＡＭ、３１…バスライン、３２…搬送制御部、３３…スキャナ制御回路、３４…ＯＣＲ制御回路、３５…磁気制御部、３６…めくり制御回路、３７…印字制御回路、３８…表示制御回路、３９…通信制御回路、４１…判別手段、４２…比較検索手段、４３…動作制御手段。
【図１】
2008310593.tif 000003
【図２】
2008310593.tif 000004
【図３】
2008310593.tif 000005
【図４】
2008310593.tif 000006
【図５】
2008310593.tif 000007
【図６】
2008310593.tif 000008
【図７】
2008310593.tif 000009
【図８】
2008310593.tif 000010
【図９】
2008310593.tif 000011